(57)【要約】【課題】  抽斗の使い勝手を悪化させることなく、地震時での耐震ロック装置のロック作動が確実に行われる抽斗装置を提供する。【解決手段】  本発明の抽斗装置２は、前方に開口する開口部を有するボックス本体５と、このボックス本体５の前方開口部に前後方向に移動自在に収納された抽斗６と、この抽斗６を半開き状態でキャッチして完全な閉鎖位置になるまで当該抽斗６をボックス本体５内に自動的に引き込む自動引き込み機構４５と、地震等に伴う揺れが発生した時に抽斗６が前方へ飛び出すのを規制する耐震ロック装置１とを備えている。そして、自動引き込み機構４５が作動する抽斗６の前後方向の移動領域において当該抽斗６がロックされるように耐震ロック装置１によるロック位置が設定されている。【選択図】      図５
2007068935.tif 000002
【特許請求の範囲】
【請求項１】
前方に開口する開口部を有するボックス本体と、このボックス本体の前方開口部に前後方向に移動自在に収納された抽斗と、この抽斗を半開き状態でキャッチして完全な閉鎖位置になるまで当該抽斗を前記ボックス本体内に自動的に引き込む自動引き込み機構とを備えている抽斗装置において、
地震等に伴う揺れが発生した時に前記抽斗が前方へ飛び出すのを規制する耐震ロック装置が設けられ、前記自動引き込み機構が作動する前記抽斗の前後方向の移動領域において当該抽斗がロックされるように前記耐震ロック装置によるロック位置が設定されていることを特徴とする耐震ロック機能を有する抽斗装置。
【請求項２】
前記耐震ロック装置は、前記ボックス本体の両側板の内面側に取り付けられた左右一対のロック装置本体と、この各ロック装置本体から出退自在に突出するロック部材が係脱自在となるように前記抽出の両側板に取り付けられた左右一対のブラケットとから構成されている請求項１に記載の耐震ロック機能を有する抽斗装置。
【請求項３】
前記ロック装置本体のケーシングが前記ボックス本体の側板の内面に形成した埋設孔に収納された状態で取り付けられている請求項２に記載の耐震ロック機能を有する抽斗装置。
【請求項４】
前記抽出は、当該抽出の左右両側壁を構成するサイドプレートと、この両プレートの内部にそれぞれ組み込まれた高さ調整具と、この高さ調整具を介して前記サイドプレートに対して高さ調整自在に取り付けられた前プレートとを備えており、
前記高さ調整具に対する操作窓が前記ブラケットで閉塞されている請求項２又は３に記載の耐震ロック機能を有する抽斗装置。
【発明の詳細な説明】
【技術分野】
【０００１】  本発明は、地震時等に発生した揺れに対して抽斗が飛び出さないようにする耐震ロック機能を有する抽斗装置に関する。
【背景技術】
【０００２】  従来より、システムキッチンのキャビネットに組み込まれる抽斗装置は、前方が開口された木製のボックス本体の内部に、単数又は複数の抽斗を前後方向に移動自在に収納することによって構成されていて、そのボックス本体は、左右一対の側板と、この側板の上端間に架設された天板とを備えている。
上記ボックス本体を構成する両側板の内面には、前後方向に沿って架設された左右一対のガイドレールが取り付けられ、各抽斗の左右両側には、各ガイドレールの断面内に前後方向に移動自在となるように嵌め込まれたサイドフレームが取り付けられている（例えば、特許文献１参照）。【０００３】  一方、システムキッチンの吊り戸棚に使用される開き戸装置においては、揺れによりケーシングから突出するロック部材を有するロック装置本体をボックス本体の天板内面に固定し、かつ、そのロック部材が係脱自在に引っ掛かるブラケットを開き戸の内面に固定してなる耐震ロック装置が既に開発されている（例えば、特許文献２参照）。【０００４】
【特許文献１】  特開２００４−１８８１１０号公報
【特許文献２】  特許第３１０５４６０号公報
【発明の開示】
【発明が解決しようとする課題】
【０００５】  上記の通り、食器棚や天袋等に使用される開き戸装置の技術分野においては、揺れによりケーシングから突出するロック部材を有するロック装置本体をボックス本体の天板内面に固定し、かつ、そのロック部材が係脱自在に引っ掛かるブラケットを開き戸の内面に固定してなる耐震ロック装置が既に開発されている。従って、抽斗装置を構成するボックス本体の側板の内面に上記耐震ロック装置のロック装置本体を取り付け、かつ、同装置のブラケットを抽斗の側面に取り付けるようにすれば、一応、耐震ロック機能を有する抽斗措置が得ることができる。【０００６】  しかし、吊り戸棚に使用される開き戸装置の開き戸は、通常、ばね付き蝶番によって閉鎖側に常時付勢されているのに対して、抽斗装置の抽斗は、開閉操作を楽にするためにガイドレールによってその前後移動が可及的にスムーズになっているので、前方（抽斗の開放側）への地震の揺れが発生した時の抽斗の瞬間的な移動速度は開き戸のそれよりも非常に大きくなっている。
このため、耐震ロック装置を抽斗装置のボックス本体の側板と抽斗との間に組み込むだけでは、耐震ロック装置の作動が抽斗の飛び出しに間に合わず、地震の際に抽斗を適切にロックすることができないという恐れがある。【０００７】  上記不都合を解消するには、抽斗のガイドレールに対する摩擦力を大きくすることが考えられるが、これでは抽斗の出し入れが重たくなって使い勝手が悪くなるという問題がある。
そこで、本発明の課題は、抽斗の使い勝手を悪化させることなく、地震時での耐震ロック装置のロック作動が確実に行われる抽斗装置を提供する点にある。
【課題を解決するための手段】
【０００８】  上記課題を解決するため、本発明は次の技術的手段を採用した。
すなわち、本発明は、前方に開口する開口部を有するボックス本体と、このボックス本体の前方開口部に前後方向に移動自在に収納された抽斗と、この抽斗を半開き状態でキャッチして完全な閉鎖位置になるまで当該抽斗を前記ボックス本体内に自動的に引き込む自動引き込み機構とを備えている抽斗装置において、
地震等に伴う揺れが発生した時に前記抽斗が前方へ飛び出すのを規制する耐震ロック装置が設けられ、前記自動引き込み機構が作動する前記抽斗の前後方向の移動領域において当該抽斗がロックされるように前記耐震ロック装置によるロック位置が設定されていることを特徴とするものである。【０００９】  上記の本発明によれば、耐震ロック装置によるロック位置が、自動引き込み機構が作動する抽斗の前後方向の移動領域の範囲内に設定されているので、自動引き込み機構が作動しているために抽斗の移動速度が比較的小さい間に抽斗が当該耐震ロック装置によってロックされる。このため、地震時での耐震ロック装置のロック作動を確実になる。
また、自動引き込み機構は、抽斗を半開き状態でキャッチして完全な閉鎖位置になるまで当該抽斗をボックス本体内に自動的に引き込むものであるから、自動引き込み機構の作動領域での抽斗の出し操作は重たくなるものの、それ以外の領域での抽斗の出し入れが重たくなることはない。このため、耐震ロック装置を組み込んだことによって抽斗の使い勝手が悪化することがなく、寧ろ、自動引き込み機構によって抽斗が自動的に引き込まれる点において、抽斗の利便性が向上する。【００１０】  上記の本発明において、前記耐震ロック装置は、前記ボックス本体の両側板の内面側に取り付けられた左右一対のロック装置本体と、この各ロック装置本体から出退自在に突出するロック部材が係脱自在となるように前記抽出の両側面に取り付けられた左右一対のブラケットとから構成されている好ましい。
この場合、地震の際に各ロック装置本体のロック部材が飛び出して各ブラケットに引っ掛かり、抽斗の片面側だけでなく両側面がロック部材によってロックされることになるので、抽斗に対するロックがより確実になる。【００１１】  また、上記の本発明において、前記ロック装置本体のケーシングは前記ボックス本体の側板の内面に形成した埋設孔に収納された状態で取り付けられていることが好ましい。
この場合、抽斗の有効幅を狭めなくても耐震ロック装置をボックス本体の内部に組み込むことができるので、抽斗の収容面積を阻害することなく耐震ロック機能を有する抽斗装置を得ることができる。【００１２】  本発明において、前記抽出としては、当該抽出の左右両側壁を構成するサイドプレートと、この両プレートの内部にそれぞれ組み込まれた高さ調整具と、この高さ調整具を介して前記サイドプレートに対して高さ調整自在に取り付けられた前プレートとを備えたものを採用することができる。
上記のような前プレートの高さ調節具を有する抽斗である場合には、高さ調整具に対する操作窓をブラケットで閉塞するようにすれば、ブラケットを高さ調整具の蓋部材として兼用することができ、抽斗を構成する部品点数を少なくすることができる。
【発明の効果】
【００１３】  以上の通り、本発明によれば、抽斗の使い勝手を悪化させることなく、地震時での耐震ロック装置のロック作動を確実に行わせることができる。
【発明を実施するための最良の形態】
【００１４】  以下、図面に基づいて、本発明の実施の形態を説明する。
図１〜図５は本発明の実施形態を示している。
図４は、本発明に係る耐震ロック装置１を採用した抽斗装置２を示しており、この抽斗装置２は、図示しないシステムキッチンのキャビネットに組み込まれて使用するものである。なお、この抽斗装置２は、キャビネットに固定しないで抜き差し自在なキャスター式として構成することもできる。【００１５】  本実施形態の抽斗装置２は、前方が開口された木製のボックス本体５の内部に、複数の抽斗６（図例では３段）を前後方向に移動自在に収納することによって構成されている。このうち、ボックス本体５は、左右一対の木製の側板７と、この側板７の上端同士を互いに連結する天板８と、その側板７の下端同士を互いに連結する底板９とを備えている。
図２及び図３に示すように、ボックス本体５の内部には、前後方向に延びる左右一対のガイドレール１０が設けられている。このガイドレール１０は、木製の側板７の内面に固定された取付板部１１と、この取付板部１１の下端から内側に向かって突出するレール部１２とを一体に備えている。【００１６】  他方、抽斗６は、木製の底プレート１３と、この底プレート１３の前端面に固定された把手付きの前プレート１５と、その底プレート１３の左右両端部に固定された金属製のサイドプレート１６とを備えている。図３に示すように、抽斗６のサイドプレート１６は、薄い金属板を屈曲させた二重構造になっており、断面Ｌ型の取付金具１７を介して底プレート１３の端縁部に取り付けられている。
上記取付金具１７の下面には、下方開口状の断面形状に形成されたサイドフレーム１８が取り付けられている。そして、このサイドフレーム１８を前記ガイドレール１０のレール部１２にスライドシュー１９を介して連結することにより、前記抽斗６がボックス本体５の前方開口部から前後方向（図１の上下方向）に出し入れ自在となるように、当該ボックス本体５の内部に収容されている。【００１７】  本実施形態の耐震ロック装置１は、地震等の際にボックス本体５に発生した揺れによって抽斗６が前方へ飛び出すのを自動的に阻止するものである。
図１〜図３に示すように、この耐震ロック装置１は、ボックス本体５側に設けられたロック装置本体２１と、抽斗６側に設けられたブラケット２２とから構成されている。このうち、ロック装置本体２１は、プラスチック製のケーシング２３と、このケーシング２３内に横向きに出退自在に挿通されたロック部材２５と、このロック部材２５を抽斗６側へ付勢する第一コイルバネ２６と、ロック部材２５をケーシング２３内に保持しておくための保持部材２７と、この保持部材２７を常にロック部材２５側に付勢する第二コイルバネ２８と、地震等に伴う揺れを検知して保持部材２７をロック部材２５から解除するオートロック手段２９とを備えている。【００１８】  本実施形態では、上記ケーシング２３は、前後方向に長くかつ抽斗６の幅方向に扁平な中空部材よりなり、木製の側板７の厚さよりも薄肉の埋設部分３１と、この埋設部分３１から一体に突設された取付フランジ部３２とを備えている。これに対して、ケーシング２３が取り付けられる木製の側板７の内面には、図示しないルータビットで穿孔することによって形成された埋設孔３３が形成されている。
図２に示すように、この埋設孔３３は、同じルータビットで一部が重なるように穿孔された、抽斗６の前後方向（図２の左右方向）に並ぶ同じ外径の二つの円形孔よりなり、横向きのほぼ８の字状に形成されている。ケーシング２３の埋設部分３１は、この埋設孔３１にちょうど嵌り込むように、当該埋設孔３３とほぼ同じ８の字状の断面形状に形成されている。【００１９】  ケーシング２３の取付フランジ部３２は、上記埋設部分３１の抽斗６側に一体に設けられており、当該埋設部分３１を側板７の埋設孔３３に嵌め込んだときに、その埋設孔３３から径外側にはみ出るようになっている。図２に示すように、この取付フランジ部３２は、埋設部分３１よりも前後両側に突出した横長のほぼ長方形状に形成されており、その前後の突出端部が止めネジ３５によるネジ止め部になっている。
このため、本実施形態のケーシング２３（ロック装置本体２１）は、その埋設部分３１をボックス本体５の側板７の埋設孔３３に嵌め込んで取付フランジ部３２を側板７の内面に当接させ、この状態で取付フランジ部３２のネジ孔に挿通した止めネジ３５を側板７に螺合させることにより、当該側板７に埋没した状態で取り付けられている。【００２０】  また、図２に示すように、本実施形態のケーシング２３では、取付フランジ部３２の前後方向の中心線３６が埋設部分３１の同方向の中心線３７に対して芯ずれした状態となっており、これにより、抽斗６の側面方向から見て埋設部分３１に対して非対称状となるように、取付フランジ部３２を偏心させている。
従って、例えば図２の場合で言うと、取付フランジ部３２の張り出し縁部３２ａが上側にあることにより、ケーシング２３の取付方向が正常であることを判断することができる。このため、埋設孔３３にケーシング２３の埋設部分３１を嵌め込む際に、取付フランジ部３２によってケーシング２３の正しい取付方向を確認することができ、ケーシング２３を上下反転して取り付けてしまう取付ミスを未然に防止することができる。【００２１】  図１に示すように、ケーシング２３の前端部には側方に開口した有底筒状のガイド筒部が形成されていて、このガイド筒部内に前記ロック部材２５が横向きに直線的に出退するように挿通されている。このロック部材２５は、その没入側端から中央部に延びるバネ収納穴を備えており、この収納穴に収納した常時圧縮の前記第一コイルバネ２６とともにガイド筒部に挿通されている。このため、ロック部材２５は第一コイルバネ２６によって常時側方へ付勢されている。
なお、図示していないが、ロック部材２５の没入側端部の四隅には、当該ロック部材２５が側方へ抜け出すのを規制するストッパーが突設されている。【００２２】  このため、ロック部材２１がケーシング２３のガイド筒部の内部に納まっているとき（図１の状態）は、後述するブラケット２２のフック部４１から外れており、抽斗６の前方移動が許容されるアンロック位置となる。
他方、ロック部材２１が横向きに突出したときは、ロック部材２５の突出端部が抽斗６側に突出してブラケット２２のフック部４１に引っ掛かり、当該抽斗６の前方移動が阻止されるロック位置となる。【００２３】  前記保持部材２７は金属製のスライド板よりなり、ケーシング２３内の底面に前後方向に移動可能に収納されている。この板状の保持部材２７は、ロック部材２５の側面に引っ掛かる掛止片３８を前端部に備えており、前記第二コイルバネ２８が当該保持部材２７の後端部に連結されている。また、保持部材２７の中央部は上方に大きく開いた凹部になっている。
保持部材２７の後端部に連結された第二コイルバネ２８は、ケーシング２３の後端壁部に当接して保持部材２７を常時前方へ付勢している。そして、このコイルバネ２８の付勢力によって保持部材２７の掛止片３８がロック部材２５の側面に強制的に引っ掛かり、これによってロック部材２５がアンロック位置に保持されている。【００２４】  本実施形態のオートロック手段２９はボール状の金属製の転動部材からなり、前記保持部材２７の凹部内に嵌り込んだ状態で、その保持部材２７とともにケーシング２３の内部に前後方向に転動自在に設けられている。このため、転動部材２９がボックス本体５の揺れに伴って後方へ移動すると、転動部材２９が保持部材２７の後端部に衝突し、保持部材２７の掛止片３８がロック部材２５から解除される。
ケーシング２３の内部には、上記転動部材２９が前方に移動しても保持部材２７をロック部材２５から解除させるためのキックプレート３９が収納されている。このキックプレート３９は、転動部材２５の前方に位置してこれと一緒に保持部材２７の凹部内に収められており、同プレート３９の左右両端縁はケーシング２３の内壁面に揺動自在に支持されている。【００２５】  また、このキックプレート３９の下端縁は保持部材２７の凹部の底側に係合している。このため、転動部材２９の揺れに伴って前方へ移動してキックプレート３９に衝突すると、同プレート３９の上端部が前方に揺動するのに伴って同プレート３９の下端縁が梃子の作用で逆に後方に揺動し、これによって保持部材２７が後方に移動し、その掛止片３８がロック部材２５から解除されるようになっている。
図１に示すように、前記ブラケット２２は平面視ほぼＬ字状の金具よりなり、ロック部材２５の突出端部が引っ掛かるフック部４１を後端部に有している。【００２６】  このブラケット２２の前端側（図１の下側）にはロック解除部材４２が設けられている。この解除部材４２は、ロック部材２５の突出端部に当接して当該ロック部材２５をケーシング２３内に没入したアンロック位置に押し戻すためのもので、丸みを帯びて湾曲しかつ弾性変形自在な先端部分を有する板バネにより構成されている。また、ロック部材２５の突出端部には、その板バネよりなるロック解除部材４２の先端部分が当接する傾斜カム面４３が形成されている。
このため、ロック部材２５がいったんロック位置になっても、抽斗６の閉鎖方向への移動に伴ってロック解除部材４２が傾斜カム面４３にカム係合し、当該解除部材４２のカム作用でロック部材２５が没入側（アンロック位置）へ押し戻されるようになっている。【００２７】  なお、図１〜図３には、抽斗装置２の片側しか図示されていないが、上記耐震ロック装置１は、抽斗装置２の左右両側の同じ前後方向位置にそれぞれ設けられている。
図５に示すように、本実施形態の抽斗装置２は、抽斗６を半開き状態でキャッチして完全な閉鎖位置（図５の実線）になるまで当該抽斗６をボックス本体５内に自動的に引き込む自動引き込み機構４５が設けられている。この自動引き込み機構４５は、ボックス本体６の背面板４６に取り付けられた機構本体４７と、この機構本体４７から前後方向に出退自在に設けられた引き込みロッド４８と、このロッド４８の先端部が係脱自在となるように抽斗６の後板５０に取り付けられたキャッチ部材４９とから構成されている。【００２８】  上記引き込みロッド４８は、機構本体４７に内在するコイルバネ等によって常に後方（図５の右側）に付勢されており、機構本体４７からの突出量が所定範囲の場合には、先端部においてキャッチ部材４９に係合し、その所定範囲を超えるとキャッチ部材４９から離脱するようになっている。
また、この引き込みロッド４８は、最大の突出状態（図５の一点鎖線）になった時にいったんその状態で保持され、その後再びキャッチ部材４９と係合すると、その保持が解除されるようになっている。【００２９】  このため、抽斗６が大きく開いている状態（図５の二点鎖線）から抽斗６を後方に移動させると、抽斗６がまだ半開き状態（図５の一点鎖線）の時点でキャッチ部材４９が最大突出状態の引き込みロッド４８に係合され、その後、ロッド４８が機構本体４７側に没入することで、抽斗６が自動的に閉鎖位置まで引き込まれる。
他方、抽斗６が閉じている状態（図５の実線）から抽斗６を前方に移動させると、引き込み部材４８はその所定の突出量になった時点でキャッチ部材４９から離脱する。従って、抽斗６の閉鎖位置から引き込みロッド４８との係合が解かれる半開き状態に至るまでの間においては、抽斗６は引き込みロッド４８によって常に後方へ引っ張られている。【００３０】  そして、本実施形態では、耐震ロック装置１によるロック位置（ロック部材２５とブラケット２２のフック部４１が係合する位置）が、上記自動引き込み装置４５が作動する抽斗６の前後方向の移動領域（図５の実線から一点鎖線までの領域）の範囲内に入るように設定されている。
なお、自動引き込み機構４５としては、図示のもの以外に、ガイドレール１０に組み込むタイプのもの（例えば、実開昭６４−４３７６７号公報）や、抽斗６の底プレート１３の下面側に組み込むタイプのもの（例えば、特開平５−３１７１３３号公報）を採用することもできる。【００３１】  図５に示すように、本実施形態の抽斗６では、サイドプレート１６の前端部の内部に高さ調整具５１（例えば、特許第２８２２３０７号公報）が組み込まれており、この高さ調整具５１を介して前プレート１５がサイドプレート１６に対して高さ調整自在に取り付けられている。サイドプレート１６の外側面には、その高さ調整具５１に対する調整操作を行う工具（例えば、ドライバー）を挿通するための操作窓５２が形成されており、この操作窓５２は前記ブラケット２２の取付板部分によって施蓋されている。
このように、本実施形態では、耐震ロック装置１のブラケット２２が抽斗６の前プレート１５の高さ調整具５１の蓋部材として兼用されており、この点で抽斗６を構成する部品点数を少なくしている。【００３２】  次に、上記耐震ロック装置１を有する抽斗装置２の作用を説明する。
まず、本実施形態の耐震ロック装置１では、図１に示すように、抽斗６が閉鎖されている場合には、ロック解除部材４２の先端カム部がロック部材２５の出没位置と一致するようになっている。これにより、ロック部材２５はロック解除部材２５のカム作用によってケーシング２３の内部に強制的に没入されている。
このさい、保持部材２７の掛止片３８がロック部材２５の側面に引っ掛かって、ロック部材２５をアンロック位置に保持するため、ボックス本体５に揺れが生じていない通常時においては、抽斗６を自由に出し入れすることができる。【００３３】  一方、地震等のためにボックス本体５に大きな揺れが生じると、抽斗６が前方へ大きく移動しようとするが、その抽斗６の移動に先だって、転動部材２９が保持部材２７の後端部に衝突するか又はキックプレート３９に衝突し、保持部材２７の掛止片３８がロック部材２５から外れる。このため、抽斗６が大きく飛び出す前にロック部材２５が抽斗６側へ横向きに突出してロック位置になり、その突出端部がブラケット２２のフック部４１に引っ掛かって、抽斗６が不意に前方へ飛び出すのが未然に防止される。
特に、本実施形態では、抽斗６が自動引き込み機構４５の引き込みロッド４８によって常に後方に付勢されているので、抽斗６の前方移動よりも転動部材２９の転動が早期に発生し、抽斗６の飛び出しに先だってロック部材２５が突出する。このため、耐震ロック装置１による抽斗６のロック作動がより確実になっている。【００３４】  そして、地震が継続している場合には、かかるロック部材２５の突出とロック解除部材４２によるロック部材２５の没入が繰り返され、抽斗６がボックス本体５に対してばたついた状態でロックが維持されることになる。
本実施形態の耐震ロック装置１によれば、ケーシング２３の埋設部分３１を木製の側板７の内面に形成された埋設孔３３とほぼ同じ断面形状に形成することで、その埋設部分３１を当該埋設孔３３に埋め込んだ状態でケーシング２３を側板７の内側に取り付けるようにしたので、抽斗６の有効幅を狭めなくても耐震ロック装置１をボックス本体５の内部に組み込むことができる。このため、抽斗６の収納容積を阻害することなく、耐震ロック機能を有する抽斗装置２を得ることができる。【００３５】  また、ケーシング２３の取付空間となる側板７の埋設孔３３をルータービットで穿孔するようにしたので、埋設孔３３の加工をより簡便に行えるとともに、埋設部分３１から径外側に張り出す取付フランジ部３２を側板７の内面にネジ止めするようにしたので、ケーシング２３の側板７に対する固定作業をより確実に行うことができる。
更に、同じルータービットで穿孔された同じ外径の二つの円形孔よりなる埋設孔３３を採用したので、同じ深さの二つの円形孔を順番に穿孔して行くという比較的容易な作業で埋設孔３３を形成することができ、長円の埋設孔を穿孔する場合に比べて加工手間をより低減できるという利点もある。【００３６】  なお、本発明は上記実施形態に限定されるものではない。
例えば、上記実施形態において、取付フランジ部３２を省略して埋設部分３１のみからなるケーシング２３とすることもできる。また、側板７の埋設孔３３は、単一の円形孔や三つ以上の円形孔から構成することもできる。
更に、上記実施形態では、システムキッチンのキャビネットに使用する抽斗装置２に本発明を採用しているが、本発明は、木製の側板７を有する抽斗装置であれば、それ以外の種々の抽斗装置に採用することができる。【００３７】  また、本発明の耐震ロック装置１は、抽斗装置２のいずれか一方の側板７のみに設けてもよいし、左右の側板７の双方に設けることもできる。更に、耐震ロック装置１の内部構造は図示のものに限られず、要は、振動を検出してロック部材２５をブラケット２２にロックさせる機能と、振動が収まった時にロック部材２５がブラケット２２から解除する機能を有するものであればよい。
また、上記実施形態において、埋設孔３３を構成する二つの円形孔を異なる外径のものとし、ケーシング２３の埋設部分３１をその埋設孔３３と同じ断面形状に形成するようにしてもよい。この場合、作業者が取付方向を間違えると埋設部分３１を埋設孔３３に嵌め込むことができなくなるので、ケーシング２３の取付ミスをより確実に防止することができる。
【図面の簡単な説明】
【００３８】
【図１】  本発明の耐震ロック装置の取付状態を示す平面断面図である。
【図２】  同耐震ロック装置のロック装置本体を図１の右側から見た側面図である。
【図３】  同耐震ロック装置の取付状態を示す正面断面図である。
【図４】  同耐震ロック装置を用いた抽斗装置の斜視図である。
【図５】  同耐震ロック装置を用いた抽斗装置の側面断面図である。
【符号の説明】
【００３９】  １      耐震ロック装置
２      抽斗装置
５      ボックス本体
６      抽斗
１５      前プレート
１６      サイドプレート
２１      ロック装置本体
２２      ブラケット
２３      ケーシング
２５      ロック部材
３３      埋設孔
４５      自動引き込み機構
５１      高さ調整具
５２      操作窓
【図１】
2007068935.tif 000003
【図２】
2007068935.tif 000004
【図３】
2007068935.tif 000005
【図４】
2007068935.tif 000006
【図５】
2007068935.tif 000007